(57)【特許請求の範囲】
【請求項１】
第１フレームと、
該第１フレームに重ねて配置された導光板と、
該導光板に対して前記第１フレームとは反対側に重ねて配置された光学シートと、
前記光学シートに対して前記導光板とは反対側に重ねて配置され、前記光学シートの外縁を覆う第２フレームと、
前記第１フレームと前記第２フレームとの間に配置される光源支持部材と、
を有する照明装置であって、
前記光学シートの外縁のうち、上辺の側のみに、前記第１フレームおよび前記第２フレームのうちの少なくとも一方から突出し前記光源支持部材と重なる位置に設けられた凸部が、当該光学シートに形成された穴に嵌る係合部が設けられていることを特徴とする照明装置。
【請求項２】
前記光源支持部材は凹状の段部を有し、前記凸部は前記段部に入り込む請求項１の照明装置。
【請求項３】
前記上辺の側には、さらに、前記第２フレームに設けた第１弾性部材が前記光学シートを前記導光板に弾性をもって押し付ける第１弾性保持部が設けられていることを特徴とする請求項１または２に記載の照明装置。
【請求項４】
前記光学シートの下辺の側には、前記第２フレームに設けた第２弾性部材が前記光学シートを前記導光板に弾性をもって押し付ける第２弾性保持部が設けられていることを特徴とする請求項３に記載の照明装置。
【請求項５】
前記第２弾性保持部は、前記第１弾性保持部より押し付け力が弱いことを特徴とする請求項４に記載の照明装置。
【請求項６】
前記第１弾性部材は、前記上辺に沿って延在していることを特徴とする請求項３乃至５の何れか一項に記載の照明装置。
【請求項７】
前記第１弾性部材は、前記上辺の延在方向で複数に分割されていることを特徴とする請求項３乃至６の何れか一項に記載の照明装置。
【請求項８】
前記凸部は、前記第２フレームに設けられていることを特徴とする請求項１乃至７の何れか一項に記載の照明装置。
【請求項９】
請求項１乃至８の何れか一項に記載の照明装置を備えた液晶表示装置であって、
前記光学シートに対して前記導光板とは反対側に液晶パネルが設けられていることを特徴とする液晶表示装置。
【請求項１０】
請求項９に記載の液晶表示装置を備えていることを特徴とする電子機器。
【発明の詳細な説明】
【技術分野】
【０００１】
本発明は、導光板および光学シートがフレーム体に保持された照明装置、該照明装置を備えた液晶表示装置、および該液晶表示装置を備えた電子機器に関するものである。
【背景技術】
【０００２】
透過型の液晶パネルを備えた液晶表示装置は、液晶パネルに重ねて配置された照明装置を備えており、かかる照明装置は、導光板や、導光板に重ねて配置された光学シート等を備えており、かかる導光板および光学シートは、一対のフレームによって挟持されている。また、光学シートを保持するにあたっては、光学シート側に位置するフレームに取り付けた弾性部材体によって光学シートを導光板に弾性をもって押し付け固定した構成が提案されている（特許文献１、２、３等）。
【先行技術文献】
【特許文献】
【０００３】
【特許文献１】特開平７−２８１１８４号公報
【特許文献２】特開平１０−３９２８０号公報
【特許文献３】特開２００８−２３４９６２号公報
【発明の概要】
【発明が解決しようとする課題】
【０００４】
ここで、液晶表示装置を液晶テレビ等として用いた場合、液晶表示装置は立てて使用される。その結果、特許文献１、２、３に記載の構成のように、光学シートを導光板に弾性部材で押し付け固定しただけでは、光学シート自身の自重によって光学シートがずれるという問題点があり、かかるずれが発生すると、光学シートが撓んで画像に輝度ムラ等が発生する。かといって、光学シートの周りを完全固定すると、温度上昇等によって光学シートが膨張した際に光学シートに撓みが発生し、画像に輝度ムラ等が発生する。
【０００５】
以上の問題点に鑑みて、本発明の課題は、照明装置を立てて使用した場合でも、光学シートの位置ずれや撓み等を防止することのできる構成、当該照明装置を備えた液晶表示装置、および当該液晶表示装置を備えた電子機器を提供することにある。
【課題を解決するための手段】
【０００６】
上記課題を解決するために、本発明は、第１フレームと、該第１フレームに重ねて配置された導光板と、該導光板に対して前記第１フレームとは反対側に重ねて配置された光学シートと、前記光学シートに対して前記導光板とは反対側に重ねて配置され、前記光学シートの外縁を覆う第２フレームと、を有する照明装置であって、前記光学シートの外縁のうち、上辺側のみに、前記第１フレームおよび前記第２フレームのうちの少なくとも一方から突出した凸部が当該光学シートに形成された穴に嵌る係合部が設けられていることを特徴とする。
【０００７】
本発明では、光学シートの外縁のうち、上辺側には、第１フレームおよび第２フレームのうちの一方から突出した凸部が光学シートに形成された穴に嵌る係合部が設けられているため、照明装置を立てて使用した場合でも、光学シート自身の自重によって光学シートがずれるという問題を回避することができる。また、上辺側のみに係合部が設けられているため、温度上昇等によって光学シートが膨張した際に光学シートの下端側が変位するので、光学シートに撓みが発生しにくい。それ故、本発明によれば、照明装置を立てて使用した場合でも、光学シートの位置ずれや撓み等を防止することができる。
【０００８】
本発明において、前記上辺側には、さらに、前記第２フレームに設けた第１弾性部材が前記光学シートを前記導光板に弾性をもって押し付ける第１弾性保持部が設けられていることが好ましい。かかる構成によれば、上辺側が導光板から浮くことを防止することができる。
【０００９】
本発明において、前記光学シートの下辺側には、前記第２フレームに設けた第２弾性部材が前記光学シートを前記導光板に弾性をもって押し付ける第２弾性保持部が設けられていることが好ましい。かかる構成によれば、下辺側が導光板から浮くことを防止することができる。また、光学シートの下辺側に第２弾性保持部を設けても、温度上昇等によって光学シートが膨張した際に光学シートの下端側が変位することによって膨張を吸収することができるので、光学シートに撓みが発生しにくい。
【００１０】
本発明において、前記第２弾性保持部は、前記第１弾性保持部より押し付け力が弱いことが好ましい。かかる構成によれば、温度上昇等によって光学シートが膨張した際、光学シートの下端側を確実に変位させることができるので、膨張を確実に吸収することができる。
【００１１】
本発明において、前記第１弾性部材は、前記上辺に沿って延在していることが好ましい。かかる構成によれば、上辺側の全体にわたって導光板からの浮きを防止することができる。
【００１２】
本発明において、前記第１弾性部材は、前記上辺の延在方向で複数に分割されていることが好ましい。かかる構成によれば、温度上昇等によって光学シートが左右方向に膨張した際、光学シートを左右方向に変位させることができるので、左右方向の膨張を吸収することができる。
【００１３】
本発明において、前記第１弾性部材の延在方向の延長線上に前記係合部が設けられていることが好ましい。かかる構成によれば、係合部と第１弾性保持部とが上下方向で占有する領域が狭くてよいという利点がある。
【００１４】
本発明において、前記凸部は、前記第２フレームに設けられていることが好ましい。光学シートに近い側の第２フレームに凸部を設ければ、高さ寸法の小さな凸部によって係合部を構成することができる。
【００１５】
本発明に係る照明装置は、例えば、液晶表示装置に用いられる。この場合、前記光学シートに対して前記導光板とは反対側に液晶パネルが設けられている。
【００１６】
本発明に係る液晶表示装置は、液晶テレビ等の電子機器に用いられる。
【図面の簡単な説明】
【００１７】
【図１】本発明の実施の形態１に係る液晶表示装置を備えた液晶テレビ（電子機器）の説明図である。
【図２】本発明の実施の形態１に係る液晶表示装置の全体構成を示す説明図である。
【図３】本発明の実施の形態１に係る液晶表示装置をさらに細かく分解したときの分解斜視図である。
【図４】本発明の実施の形態１に係る液晶表示装置の断面図である。
【図５】本発明の実施の形態１に係る液晶表示装置の照明装置における光学シートのフレーム体への固定構造を示す説明図である。
【図６】本発明の実施の形態２に係る液晶表示装置の照明装置における光学シートのフレーム体への固定構造を示す説明図である。
【図７】本発明の実施の形態３に係る液晶表示装置の照明装置における光学シートのフレーム体への固定構造を示す説明図である。
【図８】本発明の実施の形態４に係る液晶表示装置の照明装置における光学シートのフレーム体への固定構造を示す説明図である。
【図９】本発明の実施の形態５に係る液晶表示装置の照明装置における光学シートのフレーム体への固定構造を示す説明図である。
【発明を実施するための形態】
【００１８】
図面を参照して、液晶テレビ用の液晶表示装置に本発明を適用した形態を説明する。なお、以下の説明で参照する図においては、各層や各部材を図面上で認識可能な程度の大きさとするため、各層や各部材毎に縮尺を異ならしめてある。また、以下の説明では、導光板や液晶パネルの面内方向で互いに交差する方向の一方（図に示す導光板や液晶パネル（表示パネル）の長辺が延在する左右方向）をＸ軸方向とし、他方（図に示す導光板や液晶パネルの短辺が延在する上下方向）をＹ軸方向とし、Ｘ軸方向およびＹ軸方向に交差する方向（図に示す導光板と液晶パネルとが積層される方向）をＺ軸方向とする。また、以下に参照する図面では、Ｘ軸方向の一方側（向かって左側）をＸ１側とし、他方側（向かって右側）をＸ２側とし、Ｙ軸方向の一方側（下側／液晶パネルの張出部が配置される方向）をＹ１側とし、これと対向する他方側（上側）をＹ２側とし、Ｚ軸方向の一方側（導光板の背面に向けられた方向）をＺ１側（下側）とし、これと対向する他方側（照明光や表示光が出射される側）をＺ２側（上側）として表してある。
【００１９】
［実施の形態１］
（全体構成）
図１は、本発明の実施の形態１に係る液晶表示装置を備えた液晶テレビ（電子機器）の説明図であり、図１（ａ）、（ｂ）は、液晶テレビの外観を模式的に示す説明図、および液晶表示装置の電気的構成を示すブロック図である。
【００２０】
図１（ａ）に示す電子機器２０００は液晶テレビであり、液晶表示装置１００やテレビ用のフレーム２０１０等を有している。液晶表示装置１００は、後述する液晶パネル１０（表示パネル）と、液晶パネル１０に画像信号を供給する画像信号供給部２７０と、液晶パネル１０に照明光を供給する照明装置８とを有している。また、液晶表示装置１００は、液晶パネル１０においてＸ軸方向に延在する走査線を駆動する走査線駆動回路１０４と、液晶パネル１０においてＹ軸方向に延在するデータ線を駆動するデータ線駆動回路１０１とを有している。走査線駆動回路１０４およびデータ線駆動回路１０１については、双方が液晶パネル１０に内蔵された構成を採用することができる。また、走査線駆動回路１０４およびデータ線駆動回路１０１のうちの一方が液晶パネル１０に内蔵され、他方が液晶パネル１０にＣＯＧ実装された駆動用ＩＣに内蔵された構成を採用することができる。また、走査線駆動回路１０４およびデータ線駆動回路１０１のうちの一方が液晶パネル１０に内蔵され、他方が液晶パネル１０に電気的に接続された回路基板に実装された駆動用ＩＣに内蔵された構成を採用することができる。さらには、走査線駆動回路１０４およびデータ線駆動回路１０１の双方が液晶パネル１０とは別体の駆動用ＩＣに内蔵された構成等を採用することができる。
【００２１】
本形態において、照明装置８は、液晶パネル１０に重ねて配置された導光板８０と、導光板８０の側端面のうち、光入射部８０ａとされた側端面に沿って配置された複数の発光素子８９と、複数の発光素子８９が実装された光源用基板８８と、発光素子８９を駆動する光源駆動部２８０とを有している。本形態において、液晶パネル１０は横長の四角形であり、外縁には４つの辺（下辺１０ａ、上辺１０ｂ、左辺１０ｃ、右辺１０ｄ）を有している。下辺１０ａはＹ軸方向の一方側Ｙ１に位置する長辺であり、上辺１０ｂはＹ軸方向の他方側Ｙ２に位置する長辺であり、左辺１０ｃはＸ軸方向の一方側Ｘ１に位置する短辺であり、右辺１０ｄはＸ軸方向の他方側Ｘ２に位置する短辺である。かかる形状に対応して、導光板８０は、４つの側端面８０１、８０２、８０３、８０４を有している。これらの側端面８０１、８０２、８０３、８０４のうち、側端面８０１はＹ軸方向の一方側Ｙ１の長辺に位置し、側端面８０２はＹ軸方向の他方側Ｙ２の長辺に位置し、側端面８０３はＸ軸方向の一方側Ｘ１の短辺に位置し、側端面８０４はＸ軸方向の他方側Ｘ２の短辺に位置する。本形態では、導光板８０の４つの側端面８０１、８０２、８０３、８０４のうち、短辺方向（Ｙ軸方向）で対向する２つの側端面８０１、８０２が光入射部８０ａになっている。このため、発光素子８９は、導光板８０の２つの側端面８０１、８０２（光入射部８０ａ）の各々に沿って配列され、光源用基板８８は、導光板８０の２つの側端面８０１、８０２（光入射部８０ａ）の各々に沿って延在している。
【００２２】
（液晶表示装置１００の具体的構成）
図２は、本発明の実施の形態１に係る液晶表示装置１００の全体構成を示す説明図であり、図２（ａ）、（ｂ）は、液晶表示装置１００の斜視図および分解斜視図である。図３は、本発明の実施の形態１に係る液晶表示装置１００をさらに細かく分解したときの分解斜視図である。図４は、本発明の実施の形態１に係る液晶表示装置１００の断面図であり、図４（ａ）、（ｂ）は、液晶表示装置１００の下辺１０ａ側のＡ−Ａ′断面図、および液晶パネル１０の上辺１０ｂ側のＢ−Ｂ′断面図である。
【００２３】
図２、図３および図４において、本形態の液晶表示装置１００は、概ね、いわゆるバックライト装置と称せられる照明装置８と、この照明装置８の上面に重ねて配置された透過型の液晶パネル１０とを備えている。液晶表示装置１００は、フレーム体９を有している。本形態において、フレーム体９は、背面側（Ｚ軸方向の一方側Ｚ１）で導光板８０の背面を覆うように配置された金属製の第１フレーム４０と、第１フレーム４０の前側で液晶パネル１０の端部を保持するとともに照明装置８を囲って保持する樹脂製の第２フレーム３０（樹脂フレーム）と、第２フレーム３０の前側（Ｚ軸方向の他方側Ｚ２）に配置された金属製の第３フレーム５０とを備えている。
【００２４】
第２フレーム３０は、液晶パネル１０の端部を保持するとともに液晶パネル１０の周りを囲む矩形枠形状を有しており、本形態において、第２フレーム３０は、液晶パネル１０の４つの辺に対応して４つの辺毎に分割された４本のフレーム板３１、３２、３３、３４からなる。本形態において、第２フレーム３０は黒色であり、光吸収部材として機能することによって、照明装置８内での迷光の発生を防止する。フレーム板３１、３２、３３、３４は各々、フレーム板３１、３２、３３、３４の外面側で背面側に延在する側板部３１１、３２１、３３１、３４１と、側板部３１１、３２１、３３１、３４１の上端縁から内側に向かって屈曲した前板部３１５、３２５、３３５、３４５（端板部）と、前板部３１５、３２５、３３５、３４５の高さ方向の途中位置から内側に張り出した突板部３１２、３２２、３３２、３４２とを備えている。
【００２５】
このため、フレーム板３１、３２、３３、３４の内側には、突板部３１２、３２２、３３２、３４２から液晶パネル１０の側に突出する段部３１３、３２３、３３３、３４３が形成されており、かかる段部３１３、３２３、３３３、３４３と突板部３１２、３２２、３３２、３４２とによって液晶パネル１０の面内方向の位置が規定されている。また、突板部３１２、３２２、３３２、３４２の背面側には、照明装置８の導光板８０や発光素子８９等が配置されている。
【００２６】
第１フレーム４０は、ＳＵＳ板等の薄い金属板に対するプレス加工等により形成されてなる。第１フレーム４０は、底板部４５と、底板部４５の外周縁のうち、Ｙ軸方向の一方側Ｙ１を除く３つの辺から起立する３つの側板部４２、４３、４４とを備えており、前面が開口する矩形の箱状になっている。かかる第１フレーム４０の側板部４２、４３、４４の外側に第２フレーム３０の側板部３２１、３３１、３４１が重なっている。また、第２フレーム３０の側板部３１１は、第１フレーム４０のＹ軸方向の一方側Ｙ１を覆っている。
【００２７】
第３フレーム５０も、第１フレーム４０と同様、ＳＵＳ板等の薄い金属板に対するプレス加工等により形成されてなる。第３フレーム５０は、矩形の前板部５５（端板部）と、前板部５５の外周縁から下方に折れ曲がった４つの側板部５１、５２、５３、５４とを備えており、下面が開口する矩形の箱状になっている。側板部５１、５２、５３、５４は、第２フレーム３０の側板部３１１、３２１、３３１、３４１の外側に重なっている。前板部５５には、液晶パネル１０から出射された光を出射する矩形の窓５５０が形成されており、前板部５５は、液晶パネル１０の表示光出射側のうち、外周端部を全周にわたって覆っている。
【００２８】
（液晶パネル１０の構成）
図２、図３および図４に示すように、液晶パネル１０は、四角形の平面形状を有しており、画素電極（図示せず）等が形成された素子基板１１と、素子基板１１に対して所定の隙間を介して対向配置された対向基板１２と、この対向基板１２と素子基板１１とを貼り合せる矩形枠状のシール材１４とを備えている。かかる液晶パネル１０では、素子基板１１と対向基板１２との間のうち、シール材１４で囲まれた領域内に液晶層１３が保持されている。素子基板１１および対向基板１２はガラス基板等の透光性基板からなる。素子基板１１では、Ｘ軸方向に複数本の走査線（図示せず）が延在している一方、Ｙ軸方向には複数本のデータ線が延在しており、走査線とデータ線（図示せず）との交差に対応して、スイッチング素子（図示せず）および画素電極が設けられている。
【００２９】
本形態では、対向基板１２が表示光の出射側に配置され、素子基板１１は照明装置８の側に配置されている。また、対向基板１２において、素子基板１１と対向する面には、シール材１４の４つの辺の内縁に沿って、矩形枠状の遮光層からなる額縁層（図示せず）が形成されており、額縁層の内縁により規定された領域が画像表示領域１００ａである。なお、第３フレーム５０の前板部５５の内縁は、額縁層の幅方向の途中位置にあり、第３フレーム５０の窓５５０は、画像表示領域１００ａと重なっている。
【００３０】
液晶パネル１０は、ＴＮ（Twisted Nematic）方式、ＥＣＢ（Electrically Controlled Birefringence）方式、あるいはＶＡＮ（Vertical Aligned Nematic）方式の液晶パネルとして構成されており、素子基板１１に画素電極が形成され、対向基板１２に共通電極（図示せず）が形成されている。なお、液晶パネル１０がＩＰＳ（In Plane Switching）方式や、ＦＦＳ（Fringe Field Switching）方式の液晶パネルである場合、共通電極は、素子基板１１の側に設けられる。また、素子基板１１が対向基板１２に対して表示光の出射側に配置されることもある。液晶パネル１０の上面には上偏光板１８が重ねて配置され、液晶パネル１０の下面と照明装置８との間には下偏光板１７が配置されている。
【００３１】
本形態において、素子基板１１は対向基板１２より大きい。このため、素子基板１１は、Ｙ軸方向の一方側Ｙ１において対向基板１２の端部から張り出した張出部１１０を有しており、かかる張出部１１０には複数枚のフレキシブル配線基板２００が接続されている。フレキシブル配線基板２００は、リジット基板からなる回路基板２５０に接続されており、かかる回路基板２５０には、図１を参照して説明した画像信号供給部２７０を構成する制御用ＩＣ（図示せず）や、光源駆動部２８０を構成する光源駆動用ＩＣ（図示せず）が実装されている。
【００３２】
図３および図４に示すように、照明装置８は、液晶パネル１０の下面側に重ねて配置された導光板８０と、導光板８０の光入射部８０ａに発光面８９ａを向けて光入射部８０ａの一方端側（Ｘ軸方向の一方側Ｘ１）から他方端側（Ｘ軸方向の他方側Ｘ２）に向かって配列された複数の発光素子８９とを備えている。本形態において、複数の発光素子８９は、光入射部８０ａに沿ってＸ軸方向に延在する光源用基板８８の一方面８８１に実装されている。発光素子８９は、白色光を出射するＬＥＤ（Light Emitting Diode）であり、光源光を発散光として出射する。
【００３３】
本形態の照明装置８において、導光板８０の側端面８０１、８０２、８０３、８０４のうち、Ｙ軸方向で相対向する２つの側端面８０１、８０２が光入射部８０ａとして利用されている。このため、複数の発光素子８９は、導光板８０の２つの光入射部８０ａ（側端面８０１、８０２）に発光面８９ａを向け、２つの光入射部８０ａ（側端面８０１、８０２）の各々において、一方端側から他方端側に向かって配列されている。また、光源用基板８８は、各光入射部８０ａ（側端面８０１、８０２）の各々に沿って延在しており、かかる２枚の光源用基板８８の各々の一方面８８１に複数の発光素子８９が実装されている。
【００３４】
本形態において、導光板８０は、アクリル樹脂、ポリメチルスチレン樹脂、ポリカーボネート樹脂等からなる透光性の樹脂板であり、導光板８０の背面８０ｃ（光出射面８０ｂとは反対側の面／反対面）と第１フレーム４０の底板部４５との間には反射シート１８７が重ねて配置されている。導光板８０に用いる樹脂板は、押出成形や射出成形等により形成される。
【００３５】
また、導光板８０の光出射面８０ｂと液晶パネル１０との間には拡散シート１８２、プリズムシート１８３、１８４等の光学シート１８０が重ねて配置されている。拡散シート１８２は、アクリル樹脂やポリカーボネート樹脂等の透光性樹脂にシリカ粒子等を分散したコーティング層を備えたシートからなる。本形態において、２枚のプリズムシート１８３、１８４は、互いの稜線が直交するように配置されている。このため、導光板８０の光出射面８０ｂから出射された照明光は、拡散シート１８２によって全方向に拡散した後、２枚のプリズムシート１８３、１８４によって、液晶パネル１０の正面方向にピークを持つような指向性が付与されている。
【００３６】
導光板８０において、反射シート１８７が位置する背面８０ｃには、拡散パターンとして、Ｘ軸方向に延在する線状の微細な凹部からなるグルーブ（図示せず）が複数形成されている。本形態において、グルーブの密度は、発光素子８９から離れるに従って高くなっている。このため、導光板８０から出射される照明光の強度分布は、発光素子８９からの距離にかかわらず、均一化されている。なお、第１フレーム４０の底板部４５と導光板８０の背面８０ｃとの間には反射シート１８７が配置されている。
【００３７】
本形態において、光源用基板８８は、発光素子８９が実装されている一方面８８１が導光板８０の光入射部８０ａに対向するように配置されている。また、光源用基板８８は、光入射部８０ａに沿って延在する板状の金属板８８７（支持板）の一方面８８１側に、配線パターンやランドが絶縁層とともに設けられた構造を有している。かかる構成は、金属板８８７の一方面８８１側に、樹脂基材層、配線パターンおよび絶縁保護層等がこの順に積層されたフレキシブル配線基板８８８を貼り合わせることにより実現することができる。従って、配線パターンおよび発光素子８９のチップが実装されるランドは、金属板８８７から電気的に絶縁されている。本形態において、金属板８８７はアルミニウム板からなり、金属板８８７は、光源用基板８８の機械的強度を確保するとともに、発光素子８９から発熱される熱の放熱板としても機能する。
【００３８】
２枚の光源用基板８８の各々の他方面８８２の側には、光源用基板８８を保持する光源支持部材６０が各々配置されており、光源支持部材６０は、第１フレーム４０と第２フレーム３０との間に配置されて保持されている。本形態において、光源支持部材６０は、光源用基板８８の他方面８８２に沿って延在する棒状の金属部品である。光源支持部材６０は、第１フレーム４０の底板部４５に重なる底板部６１と、底板部６１の幅方向の途中位置から上方に突出した壁面を構成する基板支持板部６２とを有している。また、光源支持部材６０は、基板支持板部６２から導光板８０が位置する側とは反対側に折れ曲がった前板部６３を基板支持板部６２の底板部６１とは反対の側に備えており、前板部６３は、ネジ等によって第３フレーム５０の前板部５５および第２フレーム３０の前板部３１５、３２５の少なくともいずれか一方に固定されている。
【００３９】
かかる構成の光源支持部材６０において、基板支持板部６２の導光板８０が位置する側の面は、光源用基板８８を保持する基板保持面６２０になっている。本形態では、ネジ等によって、基板保持面６２０に光源用基板８８が固定されている。この状態で、光源用基板８８は、他方面８８２（金属板８８７）の全面が基板保持面６２０に面接触し、密着した状態で重なっている。また、光源支持部材６０は、アルミニウムや鉄系金属等の金属製である。このため、発光素子８９で発生した熱は、光源用基板８８の金属板８８７から光源支持部材６０に伝達され、光源支持部材６０の熱は第１フレーム４０に伝達される。従って、発光素子８９の温度上昇を低く抑えることができる。
【００４０】
（光学シート１８０等の固定構造等）
図５は、本発明の実施の形態１に係る液晶表示装置１００の照明装置８における光学シート１８０のフレーム体９への固定構造を示す説明図である。なお、図５では、太い実線によって光学シート１８０を示し、細い実線によってフレーム体９の第２フレーム３０を示し、一点鎖線によってフレーム体９の第１フレーム４０を示し、点線によって導光板８０を示してある。また、図５では、フレーム体９の第３フレーム５０の図示を省略してある。
【００４１】
図１〜図４を参照して説明した液晶表示装置１００では、第３フレーム５０、第２フレーム３０、および第１フレーム４０はネジ（図示せず）等により結合されて、内側に液晶パネル１０や照明装置８を保持する。より具体的には、第２フレーム３０の突板部３１２、３２２、３３２、３４２と、第３フレーム５０の前板部５５との間に液晶パネル１０の端部が挟持される。また、第２フレーム３０の突板部３１２、３２２、３３２、３４２と、第１フレーム４０の底板部４５との間に反射シート１８７、導光板８０、光学シート１８０（拡散シート１８２、プリズムシート１８３、１８４）の端部が挟持される。このため、光学シート１８０の端部（図３に示す下辺１８０ａ側の端部、上辺１８０ｂ側の端部、左辺１８０ｃ側の端部、右辺１８０ｄ側の端部）は、第２フレーム３０の突板部３１２、３２２、３３２、３４２と、導光板８０との間に挟持された状態となる。
【００４２】
このように構成した照明装置８および液晶表示装置１００において、本形態では、図４（ｂ）および図５に示すように、光学シート１８０（拡散シート１８２、プリズムシート１８３、１８４）の上辺１８０ｂ側には、上辺１８０ｂに沿って複数の穴１８１が形成されている。一方、第２フレーム３０のフレーム板３２において、突板部３２２には、光学シート１８０の上辺１８０ｂに沿って複数の凸部３２６が形成されており、かかる複数の凸部３２６は各々、複数の穴１８１に嵌って係合部９６を構成している。本形態において、穴１８１および凸部３２６は、光学シート１８０の上辺１８０ｂに沿って等間隔に５つ形成されており、それ故、係合部９６は、光学シート１８０の上辺１８０ｂに沿って等間隔に５か所に形成されている。なお、本形態において、凸部３２６は、光源支持部材６０と重なる位置に設けられており、導光板８０とは重なっていない。光源支持部材６０では、前板部６３の画像表示領域１００ａ側の端部に凹状の段部６３０が形成されており、凸部３２６の先端部は、凹状の段部６３０内に入り込んでいる。
【００４３】
また、光学シート１８０の上辺１８０ｂ側には、突板部３２２に設けられたゴム製シート等からなる第１弾性部材９１によって光学シート１８０の上辺１８０ｂ側が導光板８０に弾性をもって押し付け固定された第１弾性保持部９７が形成されている。第１弾性部材９１は、導光板８０と重なる位置で光学シート１８０の上辺１８０ｂに沿って延在しており、光学シート１８０の上辺１８０ｂに沿って延在するように第１弾性保持部９７が構成されている。このため、光学シート１８０の上辺１８０ｂ側は、係合部９６および第１弾性保持部９７によって上辺１８０ｂに沿ってフレーム体９に保持されている。
【００４４】
これに対して、図４（ａ）および図５に示すように、光学シート１８０（拡散シート１８２、プリズムシート１８３、１８４）の下辺１８０ａ側には、突板部３１２に設けられたゴム製シート等からなる第２弾性部材９２によって光学シート１８０の下辺１８０ａ側が導光板８０に弾性をもって押し付け固定された第２弾性保持部９８が形成されており、係合部は形成されていない。第２弾性部材９２は、光学シート１８０の下辺１８０ａに沿って延在しており、光学シート１８０の下辺１８０ａに沿って延在するように第２弾性保持部９８が構成されている。このため、光学シート１８０の下辺１８０ａ側は、第２弾性保持部９８によって下辺１８０ａに沿ってフレーム体９に保持されている。本形態において、第２弾性部材９２は、第１弾性部材９１と材質、厚さ、幅寸法、長さ寸法等が同一のゴム製シートが用いられており、第１弾性部材９１と第２弾性部材９２とは同一の押し付け力を発揮する。
【００４５】
なお、光学シート１８０の左辺１８０ｃや右辺１８０ｄには、係合部および弾性保持部のいずれも構成されていない。
【００４６】
（本形態の主な効果）
以上説明したように、本形態の照明装置８および液晶表示装置１００では、光学シート１８０の外縁のうち、上辺１８０ｂ側には、第１フレーム４０および第２フレーム３０のうち、第２フレーム３０から突出した凸部３２６が光学シート１８０に形成された穴１８１に嵌る係合部９６が設けられている。このため、照明装置８および液晶表示装置１００を立てて使用した場合でも、光学シート１８０自身の自重によって光学シート１８０が下方にずれるという問題を回避することができる。また、上辺１８０ｂ側のみに係合部９６が設けられ、下辺１８０ａ側には係合部が設けられていないため、下辺１８０ａ側は変位可能である。従って、温度上昇等によって光学シート１８０が膨張した際でも、かかる膨張は、光学シート１８０の下辺１８０ａ側が変位することによって吸収することができるので、光学シート１８０に撓みが発生しにくい。それ故、本形態によれば、照明装置８および液晶表示装置１００を立てて使用した場合でも、光学シート１８０の位置ずれや撓み等を防止することができる。
【００４７】
また、光学シート１８０の上辺１８０ｂ側には、さらに、第２フレーム３０に設けた第１弾性部材９１が光学シート１８０を導光板８０に弾性をもって押し付ける第１弾性保持部９７が設けられている。このため、光学シート１８０の上辺１８０ｂ側が導光板８０から浮くことを防止することができる。
【００４８】
また、本形態では、光学シート１８０の下辺１８０ａ側には、第２フレーム３０に設けた第２弾性部材９２が光学シート１８０を導光板８０に弾性をもって押し付ける第２弾性保持部９８が設けられている。このため、光学シート１８０の下辺１８０ａ側が導光板８０から浮くことを防止することができる。また、光学シート１８０の下辺１８０ａ側に第２弾性保持部９８を設けても、かかる第２弾性保持部９８であれば、温度上昇等によって光学シート１８０が膨張した際、光学シート１８０の下辺１８０ａ側が変位することをある程度許容する。従って、温度上昇等によって光学シート１８０が膨張した際でも、かかる膨張は、光学シート１８０の下辺１８０ａ側が変位することによって吸収することができるので、光学シート１８０に撓みが発生しにくい。
【００４９】
また、光学シート１８０の穴１８１に嵌る凸部については第１フレーム４０に設けてもよいが、本形態では、第１フレーム４０より光学シート１８０に近い位置に設けられた第２フレーム３０に、光学シート１８０の穴１８１に嵌る凸部３２６が設けられている。このため、高さ寸法の小さな凸部３２６によって係合部９６を構成することができ、凸部３２６が周辺と干渉するおそれがないという利点がある。
【００５０】
［実施の形態２］
図６は、本発明の実施の形態２に係る液晶表示装置１００の照明装置８における光学シート１８０のフレーム体９への固定構造を示す説明図である。なお、本形態の基本的な構成は実施の形態１と同様であるため、共通する部分には同一の符号を付して、それらの説明を省略する。
【００５１】
実施の形態１では、第１弾性部材９１と第２弾性部材９２とでは、材質、厚さ、幅寸法、長さ寸法等が同一のゴム製シートが用いられていることから、第１弾性保持部９７と第２弾性保持部９８とは同一の押し付け力を発揮する。これに対して、本形態では、第２弾性保持部９８は、第１弾性保持部９７より押し付け力が弱い。より具体的には、図６に示すように、第１弾性部材９１と第２弾性部材９２とは、材質、厚さ、長さ寸法等が同一のゴム製シートからなるが、第２弾性部材９２の幅寸法Ｗ92は、第１弾性部材９１の幅寸法Ｗ91より小である。このため、光学シート１８０の下辺１８０ａ側は、変位しやすい。従って、温度上昇等によって光学シート１８０が膨張した際でも、かかる膨張は、光学シート１８０の下辺１８０ａ側が変位することによって吸収することができるので、光学シート１８０に撓みが発生しにくい。
【００５２】
なお、本形態では、第２弾性部材９２の幅寸法Ｗ92を第１弾性部材９１の幅寸法Ｗ91より小にすることによって、第２弾性保持部９８の押し付け力を第１弾性保持部９７の押し付け力より小としたが、第１弾性部材９１と第２弾性部材９２とにおいて材質、厚さ、長さ寸法等を相違させて、第２弾性保持部９８の押し付け力を第１弾性保持部９７の押し付け力より小としてもよい。
【００５３】
［実施の形態３］
図７は、本発明の実施の形態３に係る液晶表示装置１００の照明装置８における光学シート１８０のフレーム体９への固定構造を示す説明図である。なお、本形態の基本的な構成は実施の形態１と同様であるため、共通する部分には同一の符号を付して、それらの説明を省略する。
【００５４】
実施の形態１では、光学シート１８０の上辺１８０ｂのみに穴１８１を設けたが、本形態では、図７に示すように、光学シート１８０の上辺１８０ｂおよび下辺１８０ａの双方に、Ｘ軸方向で同一の位置に穴１８１が設けられている。但し、第２フレーム３０においては、上辺側の突板部３２２のみに凸部３２６が形成され、下辺側の突板部３１２には凸部３２６が形成されていない。かかる構成によれば、光学シート１８０を形成した後、相対向する長辺のいずれを上辺１８０ｂとして用いても係合部９６を構成することができる。なお、実施の形態１では、上辺１８０ｂおよび下辺１８０ａの双方が直線的に延在していたが、本形態のように、上辺１８０ｂおよび下辺１８０ａに凸部１８０ｓを形成し、かかる凸部１８０ｓに穴１８１を形成してもよい。
【００５５】
［実施の形態４］
図８は、本発明の実施の形態４に係る液晶表示装置１００の照明装置８における光学シート１８０のフレーム体９への固定構造を示す説明図である。なお、本形態の基本的な構成は実施の形態１と同様であるため、共通する部分には同一の符号を付して、それらの説明を省略する。
【００５６】
実施の形態１、２、３では、一枚のゴム製シートによって第１弾性部材９１および第２弾性部材９２を各々形成したが、本形態では、図８に示すように、第１弾性部材９１は、上辺１８０ｂの延在方向で複数に分割されている。また、本形態では、第２弾性部材９２も、第１弾性部材９１と同様、下辺１８０ａの延在方向で複数に分割されている。本形態では、第１弾性部材９１および第２弾性部材９２はいずれも、３つに分割されている。かかる構成によれば、第１弾性部材９１および第２弾性部材９２の押し付け力を低減することができる。従って、温度上昇等によって光学シート１８０が左右方向に膨張した際、光学シート１８０を左右方向に変位させることができるので、左右方向の膨張を吸収することができる。
【００５７】
なお、本形態では、第１弾性部材９１と第２弾性部材９２では、材質、厚さ、幅寸法等が同一であるが、第２弾性部材９２において分割された部分のスペースＳ92が、第１弾性部材９１において分割された部分のスペースＳ91より大になっている。このため、第１弾性部材９１と第２弾性部材９２では、第２弾性部材９２において分割された部分の長さ寸法が第１弾性部材９１において分割された部分の長さ寸法より短いので、第２弾性保持部９８は、第１弾性保持部９７より押し付け力が弱い。このため、光学シート１８０の下辺１８０ａ側は、変位しやすい。従って、温度上昇等によって光学シート１８０が膨張した際でも、かかる膨張は、光学シート１８０の下辺１８０ａ側が変位することによって吸収することができるので、光学シート１８０に撓みが発生しにくい。
【００５８】
［実施の形態５］
図９は、本発明の実施の形態５に係る液晶表示装置１００の照明装置８における光学シート１８０のフレーム体９への固定構造を示す説明図である。なお、本形態の基本的な構成は実施の形態１と同様であるため、共通する部分には同一の符号を付して、それらの説明を省略する。
【００５９】
実施の形態１〜４では、光学シート１８０の上辺１８０ｂにおいて、外縁側に係合部９６（穴１８１および凸部３２６）が設けられ、係合部９６に対して外縁側とは反対側に第１弾性保持部９７（第１弾性部材９１）が設けられていた。これに対して、本形態では、図９に示すように、光学シート１８０の上辺１８０ｂ側において、第１弾性部材９１の延在方向の延長線上に係合部９６（穴１８１および凸部３２６）が設けられている。より具体的には、第１弾性部材９１は導光板８０の端部と重なる領域でＸ軸方向に延在しており、かかる第１弾性部材９１をＸ軸方向の両側で挟む位置に係合部９６（穴１８１および凸部３２６）が設けられており、係合部９６は導光板８０と平面視で重なっていない。かかる構成によれば、係合部９６と第１弾性保持部９７とが上下方向で占有する領域が狭くてよいという利点がある。
【００６０】
なお、本形態において、第１弾性部材９１と第２弾性部材９２とでは、材質、厚さ、幅寸法等が同一であるが、第２弾性部材９２の長さ寸法が第１弾性部材９１の長さ寸法より短いので、第２弾性保持部９８は、第１弾性保持部９７より押し付け力が弱い。このため、光学シート１８０の下辺１８０ａ側は、変位しやすい。従って、温度上昇等によって光学シート１８０が膨張した際でも、かかる膨張は、光学シート１８０の下辺１８０ａ側が変位することによって吸収することができるので、光学シート１８０に撓みが発生しにくい。
【００６１】
［他の実施の形態］
上記実施の形態では、光学シート１８０の上辺１８０ｂ側には、第２フレーム３０の凸部３２６が光学シート１８０の穴１８１に嵌る係合部９６と、第２フレーム３０に設けた第１弾性部材９１が光学シート１８０を導光板８０に弾性をもって押し付ける第１弾性保持部９７とを設けたが、係合部９６のみを設けてもよい。また、上記実施の形態では、光学シート１８０の下辺１８０ａ側には、第２フレーム３０に設けた第２弾性部材９２が光学シート１８０を導光板８０に弾性をもって押し付ける第２弾性保持部９８を設けたが、光学シート１８０の下辺１８０ａ側に第２弾性保持部９８を設けない構成を採用してもよい。
【００６２】
上記実施の形態では、光学シート１８０の左辺１８０ｃ側および右辺１８０ｄ側には係合部および弾性保持部を設けなかったが、弾性保持部を設けてもよい。
【００６３】
上記実施の形態では、第２フレーム３０に、光学シート１８０の穴１８１に嵌る凸部３２６が設けられていたが、第１フレーム４０に、光学シート１８０の穴１８１に嵌る凸部を設けてもよい。
【００６４】
上記実施の形態では、導光板８０の側端面８０１の側、および導光板８０の側端面８０２の側の双方を光入射部８０ａとしたが、側端面８０１、８０２のうちの一方のみが光入射部８０ａになっている液晶表示装置１００に本発明を適用してもよい。
【００６５】
上記実施の形態１では、光源用基板８８の一方面８８１が導光板８０の光入射部８０ａに対向している構成であったが、光源用基板８８の一方面８８１が導光板８０の光入射部８０ａに直交している構成の液晶表示装置１００に本発明を適用してもよい。
【００６６】
上記実施の形態では、照明装置８を液晶表示装置１００のバックライト装置として用いたが、各種サイネージのバックライト装置として用いてもよい。
【００６７】
［電子機器への搭載例］
上述実施形態では、液晶表示装置１００を搭載した電子機器２０００として、液晶テレビを例示したが、液晶テレビ以外にも、パーソナルコンピューターのディスプレイ、デジタルサイネージ、カーナビゲーション装置、携帯用情報端末等の電子機器の表示部に本発明を適用した液晶表示装置１００を用いてもよい。
【符号の説明】
【００６８】
８・・照明装置、１０・・液晶パネル、３０・・第２フレーム、４０・・第１フレーム、５０・・第３フレーム、８０・・導光板、８０ａ・・光入射部、８９・・発光素子（光源）、９１・・第１弾性部材、９２・・第２弾性部材、９６・・係合部、９７・・第１弾性保持部、９８・・第２弾性保持部、１００・・液晶表示装置、１００ａ・・画像表示領域、１８０・・光学シート、１８１・・光学シートの穴、３２６・・第２フレームの凸部
【図１】
0005747729.tif 000002
【図２】
0005747729.tif 000003
【図３】
0005747729.tif 000004
【図４】
0005747729.tif 000005
【図５】
0005747729.tif 000006
【図６】
0005747729.tif 000007
【図７】
0005747729.tif 000008
【図８】
0005747729.tif 000009
【図９】
0005747729.tif 000010